(57)【要約】【課題】ＡＣアダプターを電気器具から脱着可能とし、ある場合には放熱作用を高め、ある場合には外観上好ましく且つ持ち運びに便利である電気器具を提供する。【解決手段】ＡＣアダプター４を収納可能なＡＣアダプター収納部５とを備え、本体とＡＣアダプター収納部５を一体成形しているので、ＡＣアダプター４の温度が上昇して放熱する必要性がある場合には、ＡＣアダプター収納部５からＡＣアダプター４を外してＡＣアダプター４の温度を一気に低下させることができ、本電気器具を持ち運ぶ場合若しくは暫くの間使用しない場合には、ＡＣアダプター４が持ち運びな邪魔にならず本電気器具をしっかり保持して運ぶことができると共に、暫くの間使用しない場合にはＡＣアダプター４が突出して美観上好ましいだけでなく、コンパクトに収納でき、且つ、ホコリがたまった場合にも容易に掃除することができる。【選択図】  図３
2005051875.tif 000002
【特許請求の範囲】
【請求項１】
少なくとも交流を直流に変換するＡＣアダプターと、前記ＡＣアダプターと接続し電源ジャックからの電力を供給する電源ケーブルとを備える電機器具において、
前記ＡＣアダプターを収納可能なＡＣアダプター収納部を備え、
本体とＡＣアダプター収納部を一体成形することを特徴とする電気器具。
【請求項２】
開閉可能で液晶ディスプレイを配設された蓋部と、スイッチを複数配設されたスイッチ部と、低周波治療を患部に伝えるパッドと、当該パッドを収納するパッド収納部と、交流を直流に変換するＡＣアダプターと、当該ＡＣアダプターを収納可能なＡＣアダプター収納部と、前記ＡＣアダプターと接続し電源ジャックからの電力を供給する電源ケーブルとを備え、
パッド収納部とＡＣアダプター収納部とを別体に形成することを特徴とする電気器具。
【請求項３】
開閉可能で液晶ディスプレイを配設された蓋部と、スイッチを複数配設されたスイッチ部と、ある程度の収納力を有する収納部と、交流を直流に変換するＡＣアダプターと、当該ＡＣアダプターを収納可能なＡＣアダプター収納部と、基盤からなる制御部と、前記ＡＣアダプターと接続し電源ジャックからの電力を供給する電源ケーブルを備え、
ＡＣアダプター収納部と収納部及び／又は制御部とが隣接することなく配置されることを特徴とする電気器具。
【請求項４】
前記請求項２または３に記載の電気器具において、
前記蓋部が本体の上面の一部を形成し、
施療子を備え低周波治療を行え、
当該施療子のジャック位置が前面であって蓋部の横幅内であることを特徴とする電気器具。
【発明の詳細な説明】
【０００１】
【発明の属する技術分野】
本発明は、ＡＣアダプターを脱着可能な電気器具に関し、特に、放熱作用と持ち運びの利便性に富む電気器具に関する。
【０００２】
【従来の技術】
従来の電気器具は、例えば、ノートパソコンであれば、ＡＣアダプターが本体とは別途に設けられ、ＡＣアダプター使用時に電気器具に接続して使用していた。また、ノートパソコンでは、携帯用バッテリを背面に隣接して備え付ける構成である。
他の従来の電気器具においては、ＡＣアダプターと同様な機能、すなわち、交流を直流に変換する機能を電源部が有し、ＡＣアダプターを有しない構成となっているものもある。
【０００３】
【発明が解決しようとする課題】
前記従来の電気器具は以上のように構成されていたので、ＡＣアダプターを携帯用バッテリと同様に背面に隣接して備え付けるだけでは、ＡＣアダプター自体が所定の大きさを有し、電気器具自体が大きくなって持ち運びが不便である。すなわち、通常、電気器具の設計はＡＣアダプターを除いた状態で設計し、若しくは、ＡＣアダプターを取り付けた状態の電気器具を設計し、電気器具にＡＣアダプターを取り付けない場合と、電気器具にＡＣアダプターを取り付けた場合とのどちらか一方でバランスが悪く、美観上好ましくないだけでなく、ＡＣアダプターが他の部位と比べて重いため、ＡＣアダプターを取り付けた方向に重心がずれ、持ち運びに不便であるという課題を有する。また、当然に、ＡＣアダプターを備え付けることすらできない電気器具においては、重いＡＣアダプターだけが電気器具の外部にあり、電器器具とＡＣアダプターとを持って移動しなければならず、非常に持ち運びに不便であるという課題を有する。
【０００４】
さらに、ＡＣアダプターの機能を本体の電源部に内蔵した電気器具であれば、ＡＣアダプターは電気器具と一体となって外観上も好ましいだけでなく、持ち運びに便利ではあるが、発熱しやすいＡＣアダプターを内蔵している場合には、連続使用にも耐え得るように空冷ファン等の冷却システムを備えなければならず、電気器具全体が大型化若しくはコスト高となるという課題を有する。特に、どのような冷却システムを導入しようとも、ＡＣアダプター自体を電気器具の外へ出すことができるものと比べると、冷却性及び経済性の点で劣ることは明らかであり、ＡＣアダプターの発熱によりＡＣアダプター自体が故障しやすいだけでなく、ＡＣアダプターの発熱により周辺の電気器具を構成する部品が故障することも考え合わせると、非常に重要な問題となる。
【０００５】
本発明は前記課題を解決するためになされたもので、ＡＣアダプターを電気器具から脱着可能とし、ある場合には放熱作用を高め、ある場合には外観上好ましく且つ持ち運びに便利である電気器具を提供することを目的とする。
【０００６】
【課題を解決するための手段】
本発明に係る電気器具は、少なくとも交流を直流に変換するＡＣアダプターと、前記ＡＣアダプターと接続し電源ジャックからの電力を供給する電源ケーブルとを備える電機器具において、前記ＡＣアダプターを収納可能なＡＣアダプター収納部を備え、本体とＡＣアダプター収納部を一体成形するものである。このように本発明においては、ＡＣアダプターを収納可能なＡＣアダプター収納部とを備え、本体とＡＣアダプター収納部を一体成形しているので、ＡＣアダプターの温度が上昇して放熱する必要性がある場合には、ＡＣアダプター収納部からＡＣアダプターを外してＡＣアダプターの温度を一気に低下させることができ、本電気器具を持ち運ぶ場合若しくは暫くの間使用しない場合には、ＡＣアダプターが持ち運びな邪魔にならず本電気器具をしっかり保持して運ぶことができる。ここで、ＡＣアダプターを収納するＡＣアダプター収納部を本体と一体成形で設けており、ＡＣアダプターを収納した場合に、本体の外形が変わることなく本体がＡＣアダプターを備えることができる。ここでの本体とは、電気器具の外装のことをいい、当該外装により被覆してある基盤等の内部的構成要素は含まれない。
【０００７】
本発明に係る電気器具は、開閉可能で液晶ディスプレイを配設された蓋部と、スイッチを複数配設されたスイッチ部と、低周波治療を患部に伝えるパッドと、当該パッドを収納するパッド収納部と、交流を直流に変換するＡＣアダプターと、当該ＡＣアダプターを収納可能なＡＣアダプター収納部と、前記ＡＣアダプターと接続し電源ジャックからの電力を供給する電源ケーブルとを備え、パッド収納部とＡＣアダプター収納部とを別体に形成するものである。このように本発明においては、パッドを収納するパッド収納部とＡＣアダプターを収納可能なＡＣアダプター収納部とを備え、パッド収納部とＡＣアダプター収納部とを別体に形成しているので、パッド収納部の上下方向を含めた周囲の壁とＡＣアダプター収納部の上下方向を含めた周囲の壁とが別々に形成されることになり、パッド収納部とＡＣアダプター収納部とが隣接して形成されるときには、パッド収納部の形成する空間とＡＣアダプター収納部の形成する空間とがパッド収納部の壁とＡＣアダプター収納部の壁との２重の壁を隔てて形成され、ＡＣアダプター収納部にＡＣアダプターを収納した状態で動作させ熱が生じたとしても、当該２重の壁によりパッド収納部の形成する空間に熱が伝導し難く、パッド収納部に収納されたパッドが熱の影響を受けず状態変化を生じず、適切に収納してパッドを長い期間良好な状態で使用することができる。なお、パッドを施療に使用していても、交換用のパッドをパッド収納部に収納することもあり、動作中においてもパッド収納部にパッドが収納されることがある。
【０００８】
また、本発明に係る電気器具は必要に応じて、開閉可能で液晶ディスプレイを配設された蓋部と、スイッチを複数配設されたスイッチ部と、ある程度の収納力を有する収納部と、交流を直流に変換するＡＣアダプターと、当該ＡＣアダプターを収納可能なＡＣアダプター収納部と、基盤からなる制御部と、前記ＡＣアダプターと接続し電源ジャックからの電力を供給する電源ケーブルを備え、ＡＣアダプター収納部と収納部及び／又は制御部とが隣接することなく配置されるものである。このように本発明においては、ＡＣアダプター収納部と収納部及び制御部とが隣接することなく配置されているので、ＡＣアダプターをＡＣアダプター収納部に収納し、ＡＣアダプターを動作させて交流を直流に変換させてもＡＣアダプターの動作による発熱が収納部及び制御部に及ぶことなく、制御部に熱が及ばないことにより制御部が各種制御を行え被施療者に対し適切な治療を行うことができ、また、収納部に熱が及ばないことにより収納部に収納しているものが熱により状態変化することなく、例えば、組パッドを格納していれば、組パッドが基材シートの下面に導電層を介して導電性高分子ゲルからなる導電性粘着層を形成したものであり熱が組パッドに及ぶと導電性粘着層の粘着力が上がり必要以上に被施療者の皮膚に粘着し、剥がれにくいだけでなく皮膚を傷つける可能性があり、熱が収納部に及ばないことにより収納されている組パッドの状態変化もなく継続して安定的に使用することができ、他のものを収納部に収納していても収納しているものに対し熱が及ばないことも状態変化の可能性が低くなり好ましい。
【０００９】
また、本発明に係る電気器具は必要に応じて、前記蓋部が本体の上面の一部を形成し、施療子を備え低周波治療を行え、当該施療子のジャック位置が前面であって蓋部の横幅内であるものである。このように本発明においては、組パッドのジャック位置が前面であって蓋部の横幅内であるので、通常、スイッチ用基盤等の制御部が前面側に配置されて前面若しくは両側面にジャックがあるのが普通であり、前面側にジャックを設けることが好ましく、さらに、前面側であれば両端でも、ＡＣアダプター収納部と離間させた状態で設けることはできるものの、施療者が蓋部を開ける場合に手を前面側の両端に添えた方が力が逃げずに容易に明けることができる。
【００１０】
【発明の実施の形態】
（本発明の第１の実施形態）
本発明の第１の実施形態に係る電気器具としての低周波治療器について図１ないし図６に基づいて説明する。図１は蓋部が閉じたときの本低周波治療器の斜視図、図２は蓋部が開いたときの本低周波治療器の斜視図、図３は本実施形態に係る低周波治療器の背面斜視図、図４は本実施形態に係る低周波治療器のスイッチ部の正面図、図５は本実施形態に係る低周波治療器の制御部のブロック構成図、図６は蓋部が開きＡＣアダプターが外に取り出されているときの本低周波治療器の斜視図を示す。
【００１１】
前記各図において本実施形態に係る低周波治療器においては、開閉可能で液晶ディスプレイ１１を配設された蓋部１と、スイッチを複数配設されたスイッチ部２と、ある程度の収納力を有する収納部３と、交流を直流に変換するＡＣアダプター４と、このＡＣアダプター４を収納可能なＡＣアダプター収納部５と、基盤からなる制御部６と、前記ＡＣアダプター４と接続し電源ジャックからの電力を供給する電源ケーブル７とを備え、本体とＡＣアダプター収納部５を一体成形し、ＡＣアダプター４を収納時に外観上本体と一体とする構成である。ここでの本体とは、低周波治療器の外装のことをいい、当該外装に被覆してある内部的構成要素である基盤等は含まれない。
前記蓋部１は、上面の両サイドを除く中央部に位置し、本体の一辺で枢設され、内面に液晶ディスプレイ１１を有し、開いた状態で液晶ディスプレイ１１が表れるようになっている。
【００１２】
前記収納部３は、図２に示すように、左側面から引き出し可能で奥方向にマグネット３１が配設され、このマグネット３１と逆の極性のマグネット（図示しない）が本体の収納部３を挿入する位置に、配設され、挿入時に、ある程度の力で引かなければ収納部３が引き出せないようになっており、低周波治療器本体を持ち運びして本体が斜めになったぐらいでは収納部３が自然に引き出されることない。また、この収納部３には、組パッド８等の施療子を収納することができる。他にも、交換用の替パッド８４を収納できる他、収納部３の収納の大きさ内のものであれば、取り扱い説明書等も収納することができる。
【００１３】
前記スイッチ部２は、図４に示すように、「電源入／切」ボタン２ａ、「肩」ボタン２ｂ、「背」ボタン２ｃ、「腰」ボタン２ｄ、「腕・脚」ボタン２ｅ、「関節」ボタン２ｆ、「マイメモリー」ボタン２ｇ、「機能」ボタン２ｈ、「開始／停止」ボタン２ｉ、「一時停止」ボタン２ｊ、「ロック」ボタン２ｋ、「１５分／３０分」ボタン２ｌ、「強さ」ダイヤル２ｍ、「極性切替」ボタン２ｎ、「連続／断続」ボタン２ｏ、「メモリー」ボタン２ｐ、「速さ」ボタン２ｑ、「温熱治療」ボタン２ｒ、「ヒータ」ボタン２ｓ、「予熱」ボタン２ｔ、「入／切」ボタン２ｕ、「強／弱」ボタン２ｖ、及び、「１５分／３０分」ボタン２ｗからなる。
【００１４】
「電源入／切」ボタン２ａは、電源を入切するためのボタンである。「肩」ボタン２ｂ、「背」ボタン２ｃ、「腰」ボタン２ｄ、「腕・脚」ボタン２ｅ及び「関節」ボタン２ｆは、自動コース選択のためのボタン（自動コースボタン）である。「マイメモリー」ボタン２ｇは、メモリー機能により予め記録されている施療内容を呼び出すためのボタンである。「機能」ボタン２ｈは、治療内容を波形を元に選択する際に使用するためのボタンである。「開始／停止」ボタン２ｉは、低周波治療を行う際に治療開始のトリガとして使用するためのボタンである。「一時停止」ボタン２ｊは、すべての出力（低周波・温熱）を一時的に停止するためのボタンである。「ロック」ボタン２ｋは、ボタンを押下することにより、治療中の誤操作防止のために、キー入力及びダイヤル入力を受け付けなくするためのボタンである（但し、「電源入／切」ボタンと「開始／停止」ボタンだけは受け付ける）。「１５分／３０分」ボタン２ｌは、治療時間の設定値を１５分若しくは３０分に交互に切り換えるためのボタンである。「強さ」ダイヤル２ｍは、低周波治療の刺激の強さを調節するためのダイヤルである。「極性切替」ボタン２ｎは、「標準（＋）」、「反転（−）」、「交互」若しくは「同時」と組パッドによる体感を変わらせるためのボタンである。「連続／断続」ボタン２ｏは、「断続」若しくは「連続」に切り換えるためのボタンである。「メモリー」ボタン２ｐは、使用時間、極性、連続断続設定等の動作属性とともに、カスタムコースの内容として記憶し、再生するためのボタンである。「速さ」ボタン２ｑは、治療のテンポを速くしたり遅くしたりするためのボタンである。「温熱治療」ボタン２ｒは、組パッド内蔵ヒータにて温熱治療を行うためのボタンである。「ヒータ」ボタン２ｓは、低周波治療時に組パッド内蔵ヒータにごくわずかに通電し、組パッドの保温効果を高めるためのボタンである。「予熱」ボタン２ｔは、組パッドを身体に貼る際のひんやり感を防ぐため、事前に組パッドの粘着パッドを温めおくためのボタンである。「入／切」ボタン２ｕは、温熱治療マットの通電入／切を切り換えるためのボタンである。「強／弱」ボタン２ｖは、温熱治療マット使用時の温熱治療の強弱を切り換えるためのボタンである。「１５分／３０分」ボタン２ｗは、温熱治療マットを用いた温熱治療の治療時間を切り換えるためのボタンである。
【００１５】
前記ＡＣアダプター４は、ＡＣアダプタープラグ７３を接続するためのＡＣアダプタージャック４１と、交流から直流に変換する変換部と、直流にした電流を出力するための直流ジャック４２とからなる。また、直流ジャック４２と本体に配設された供給口ジャック４３とを接合する直流ケーブル４４がある。
【００１６】
前記ＡＣアダプター収納部５は、底面で収納部、いくつかの形状の異なるＡＣアダプター４を収納できる。形状の異なるＡＣアダプター４とは、ＡＣアダプター４も出力内容によって大きさがことなり、通常、高出力であればあるほど大きさが大きくなり発熱量も大きい。例えば、温熱治療をするにあたっては、大きな出力を要するために、高出力のＡＣアダプター４が必要となって大きなＡＣアダプター収納部５も要し、低周波治療のみであれば温熱治療をするほど出力が必要とならず、温熱治療時のＡＣアダプター４より低出力のＡＣアダプター４でよく同様にＡＣアダプター収納部５も小さくて済む。すなわち、ＡＣアダプター収納部５は、この２種類の大きさのＡＣアダプター４に対応可能となっておく必要がある。また、これは、単に施療者が温熱治療をするか否かで、ＡＣアダプター４を選別する場合に活用できるだけでなく、ある金型でＡＣアダプター収納部５を成形し温熱治療機能を有する低周波治療器として製造し、同一の金型で温熱治療機能を有しない低周波治療器も製造することができる。これは、ＡＣアダプター収納部５がどちらのＡＣアダプター４にも対応していることにより可能となった。この具体例では２つのＡＣアダプター４について説明したが、これに限らず、より多くのＡＣアダプター４に対応したＡＣアダプター収納部５を形成することもできる。また、このＡＣアダプター収納部５には、蓋５３が付いており、低周波治療器を裏返しにして、ＡＣアダプター４をＡＣアダプター収納部５に収納して、蓋５３をすることで低周波治療器を表にしたときにＡＣアダプター４が低周波治療器から外れないようにしている。また、蓋５３には、いくつかの仕切り５４が用意され、ＡＣアダプター収納部５の空間で収納時のＡＣアダプター４が占有していない空間を仕切り５４が占有することで、本低周波治療器を移動させた場合にもＡＣアダプター４が動くことがない。本低周波治療器底面のＡＣアダプター収納部５の蓋５３に近接してツマミ５１が設けてあり、この本体のツマミ５１と蓋のツマミ穴５５とが係合することで蓋５３が容易に固定され、この本体のツマミ５１にはスライダー５２が設けられ、スライダー５２をスライドさせると本体のツマミ５１が引っ込み係合が解かれ、蓋５３が容易に開くようになっている。
【００１７】
制御部６は、図５に示すように、低周波治療器信号を出力等する回路基盤６１と、スイッチのオンオフを検出するスイッチ用基盤６２からなり、スイッチ用基盤６２がスイッチ部２の下に配設され、回路基板６１がこのスイッチ用基盤６２の下に配設されており、二段重ねの基盤からなる構成である。スイッチ用基盤６２が、前記スイッチ部２の各ボタンのどのボタンが押下されたかを回路基盤６１に伝達する。回路基盤６１は、各種制御を行うマイコン６１ａと、マイコン６１ａが読み出す身体表示情報及び文字表示情報を記録するＲＯＭ６１ｂと、治療用信号を生成する治療用信号生成部６１ｃと、ＡＣアダプター４から供給される電気を各部位に分配する電気回路６１ｄ等からなる。ＲＯＭ６１ｂには、治療用信号生成部６１ｃが読み出すマッサージ情報も記録しており、治療用信号生成部６１ｃはかかるマッサージ情報に基づいて治療用信号を生成する。なお、回路基盤６１とスイッチ用基盤６２とが一体となっているもの、回路基盤６１にスイッチ用基盤６２が包含されているものもある。
【００１８】
マイコン６１ａは、ケーブル若しくはバス（図示しない）でＲＯＭ６１ｂ、液晶ディスプレイ１１、治療用信号生成部６１ｃ、スイッチ部２、ＬＥＤランプと接続され、信号を送受信している。マイコン６１ａがＲＯＭ６１ｂに格納されている表示信号やマッサージ情報を読出しており、従って、ケーブル若しくはバス上はこれら表示情報やマッサージ情報が送受されており、その他にマイコン６１ａがＲＯＭ６１ｂに対して指定した情報を読出し可能となるようにＲＯＭ６１ｂに対する制御信号がマイコン６１ａからＲＯＭ６１ｂに対して送信されている。マイコン６１ａがＲＯＭ６１ｂから読み出したマッサージ情報を治療用信号生成部６１ｃに送信する。マイコン６１ａがＲＯＭ６１ｂから読み出した表示情報を液晶ディスプレイ１１に送信する。ここで、マイコン６１ａは、ＲＯＭ６１ｂから読み出した表示情報をそのまま液晶ディスプレイ１１に送信する以外に、表示情報に対して情報処理を施して表示情報を液晶ディスプレイ１１に送信することもでき、例えば、通常だと身体の一部のみが表示される身体表示情報に対して情報処理を施すことにより身体の一部のみを色を変更した表示情報として液晶ディスプレイ１１に送信することができる。マイコン６１ａは、スイッチ部２からどのスイッチが押下されたかの情報を受信し、ＬＥＤランプに対しては特定のＬＥＤランプを点灯させたり消灯させたりする制御信号を送信する。
【００１９】
治療用信号生成部６１ｃは、ＲＯＭ６１ｂに記録されているマッサージコースに対応するマッサージ情報をマイコン６１ａを介して受信し、このマッサージ情報に基づいて治療用信号を生成する。生成した治療用信号は接続している治療子である組パッド８に出力される。ここで、組パッド８は２つ用意されている。組パッド８が本低周波治療器に接続されている場合に点灯し、接続されていない場合に消灯する接続ＬＥＤランプ１０と、接続している組パッド８が温熱治療を行っている場合に点灯し、行っていない場合に消灯する温熱治療ＬＥＤランプ１１とが、液晶ディスプレイ１１の下部にそれぞれＬＥＤランプが計４つ用意されている。接続ＬＥＤランプ１０と温熱治療ＬＥＤランプ１１とが１組となって、それぞれ組パッド８Ａ及び組パッド８Ｂに対応している。組パッド８Ａには接続ＬＥＤランプ１０Ａ、温熱治療ＬＥＤランプ１１Ａが対応し、組パッド８Ｂには接続ＬＥＤランプ１０Ｂ、温熱治療ＬＥＤランプ１１Ｂが対応している。
【００２０】
組パッド８は、２枚のパッド８１と、治療用信号生成部が出力される治療用信号をパッド８１に伝達する治療用信号コード８２と、低周波治療器本体のジャック９と接続するパッドプラグ８３となる。この組パッド８には、コンパクトに収納することを可能とするコードリール８５がある。このコードリール８５は、両面にパッド８１を貼着できる貼着部８５ａを備え、この２つの貼着部８５ａの間に治療用信号コードを巻き入れる溝であるリール部８５ｂが形成されている。さらに、詳細には、このリール部の幅がパッドプラグ８３の手持ち部分の径より若干狭くなっており、組パッド８の２枚のパッド８１をコードリールの貼着部に貼着し、治療用信号コード８２をリール部に巻き取った後、パッドプラグ８３の手持ち部分をリール部に嵌入させて巻き取り状態を保持することができる。このように巻き取り状態を保持することができ、簡単に治療用信号コード８２がばらけたりせず、収納部３に容易に収納することができる。
【００２１】
また、「温熱治療」ボタン２ｒを押下して温熱治療を行っている最中には、「温熱治療」ボタンに隣接して形成されている温熱治療ＬＥＤランプ２Ｒが点灯し、温熱治療を停止した場合に温熱治療ＬＥＤランプ２Ｒが消灯する。同様に、「ヒータ」ボタン２ｓを押下して暖めている最中には、「ヒータ」ボタン２ｓに隣接して形成されているヒータＬＥＤランプ２Ｓが点灯し、ヒータを停止した場合若しくは組パッド８のヒータが終わった場合にはヒータＬＥＤランプ２Ｓが消灯する。また、同様に、「予熱」ボタン２ｔを押下して暖めている最中には、「予熱」ボタン２ｔに隣接して形成されている予熱ＬＥＤランプ２Ｔが点灯し、予熱を停止した場合若しくは予熱が終わった場合には予熱ＬＥＤランプ２Ｔの消灯する。
【００２２】
電源ケーブル７は、電源コンセント（図示しない）に差し込む電源プラグ７１を一端に有し、他端にＡＣアダプタージャック４１に差し込むＡＣアダプタープラグ７３有し、この電源プラグ７１とＡＣアダプタープラグ７３の間にケーブル７２が位置している。
【００２３】
次に、本実施形態に係る低周波治療器についての使用動作について説明する。施療者は、本低周波治療器のＡＣアダプター７の電源プラグ７１をコンセントに差し込む。ここで、既に、ＡＣアダプター４は、ＡＣアダプター収納部５に収納されているものとする。施療者は、組パッド８のパッドプラグ８３を低周波治療器のジャック９Ａに差し込む。ここで、ジャック９は、ジャック９Ａ及びジャック９Ｂがあり、かかるジャック９Ａに組パッド８のパッドプラグ８３を差し込むことでこの組パッド８は組パッド８Ａとなり、ジャック９Ｂに組パッド８のパッドプラグ８３を差し込むことでこの組パッド８は組パッド８Ｂとなる。施療者は「ＯＮ／ＯＦＦ」ボタン１ａを押下し、本低周波治療器の電源を入れる。電源が入ることで、マイコン６１ａは自動的にＲＯＭ６１ｂから初期画面の表示情報を読出し液晶ディスプレイ１１に出力し、この液晶ディスプレイ１１がこの初期画面を表示する。また、電源が入ることで組パッド８のパッドプラグ８３がジャック９Ａに差し込まれているので、接続ＬＥＤランプ１０Ａが点灯し、このパッドプラグが差し込まれた組パッド８は組パッド８Ａとなる。この接続ＬＥＤランプ１０Ａがあることで、施療者は、画面を見て組パッド８Ａが適切に接続されていることを確認することができる。したがって、組パッド８のパッドプラグ８３がジャック９Ａに差し込まれていない場合、若しくは、適切に差し込まれていない場合、接続ＬＥＤランプ１０Ａが点灯せず、施療者は、組パッド８のパッドプラグ８３がジャック９Ａに差し込まれていない、若しくは、適切に差し込まれていないということに気付くこととなる。初期画面の表示した後に、次に、マイコン６１ａがＲＯＭ６１ｂから「自動コース又は手動を、自動コースボタン又は「機能」ボタンを押下して選択して下さい。」との文字表示情報を読出し液晶ディスプレイ１１に表示する。
【００２４】
施療者が自動コースボタンを押下した場合には、まず、かかる自動コースボタンに該当する身体表示情報をマイコン６１ａがＲＯＭ６１ｂより読出し液晶ディスプレイ１１に表示する。身体表示情報には身体の図以外に組パッド８をどこに貼着すればよいかの情報が含まれ、液晶ディスプレイ１１に表示された身体には組パッド８を貼着すべき位置が表示された身体上に重ねて表示されている。さらに、「表示している貼着位置に組パッドを貼着し、開始ボタンを押下して下さい。」との文字表示情報をマイコン６１ａがＲＯＭ６１ｂから読出し、この身体が表示されている液晶ディスプレイ１１に表示する。施療者は、液晶ディスプレイ１１の身体及び文字の表示を見て、液晶ディスプレイ１１に表示された貼着位置と同様の被施療者の身体の位置に貼着し、「開始」ボタン２ｉを押下する。マイコン６１ａは、「開始」ボタン２ｉが押下されると、組パッド８がジャック９に差し込まれていることを確認し、さらに、人体検出をし組パッド８が被施療者に貼着されていることを確認し、組パッド８のパッドプラグ８３がジャック９に差し込まれ、且つ、被施療者に組パッド８のパッド８１が貼着されている場合にのみ、マイコン６１ａが被施療者が押下した自動コースボタンに対応するマッサージ情報をＲＯＭ６１ｂから読出し、治療用信号生成部６１ｃに出力する。治療用信号生成部６１ｃは、入力されるマッサージ情報に基づいて治療用信号を組パッド８に出力する。なお、組パッド８がジャック９に差し込まれていない場合、又は、組パッド８が人体に貼着されていない場合には、その旨マイコン６１ａがＲＯＭ６１ｂから文字表示情報を読出し液晶ディスプレイ１１に表示することで施療者に伝える。ここで、人体検出は、組パッド８の一方のパッド８１と他方のパッド８１とが導通していれば、人体に貼着されている状態であると判断し、導通していなければ、人体に貼着されていない状態であると判断する。
【００２５】
例えば、「自動コース又は手動を、自動コースボタン又は「機能」ボタンを押下して選択して下さい。」との液晶ディスプレイ１１の表示を見て、施療者が「肩」ボタン２ｂを押下すると、肩周辺の身体表示情報をマイコン６１ａがＲＯＭ６１ｂより読出し液晶ディスプレイ１１に表示する。この液晶ディスプレイ１１での表示において、肩周辺の表示上に組パッド８のパッド８１をどの位置に貼るべきかの貼着位置を示し、さらに、「表示している貼着位置に組パッドを貼着し、開始ボタンを押下して下さい。」と表示されている。この表示に対応して、施療者が表示の貼着位置と同位置の被施療者の身体上へ組パッド８のパッド８１を貼着し、「開始／停止」ボタン２ｉを押下する。これにより、低周波治療が始まる。
【００２６】
次に、施療者が「機能」ボタンを押下した場合には、まず、「下記『たたく』、『もむ』、『おす』、『バイブ』、『さざなみ』、『うねり』及び『スクランブル』の中から治療波形を選択して下さい。」との文字表示情報をマイコン６１ａがＲＯＭ６１ｂから読出し液晶ディスプレイ１１に表示すると共に、選択可能な文字情報として「たたく」、「もむ」、「おす」、「バイブ」、「さざなみ」、「うねり」および「スクランブル」も表示する。施療者は、液晶ディスプレイ１１に表示されている「たたく」、「もむ」、「おす」、「バイブ」、「さざなみ」、「うねり」および「スクランブル」から、「機能」ボタンを押下して治療波形を選択する。この治療波形の選択は、例えば、「たたく」が反転表示となっており、「機能」ボタン２ｈを押下する度毎に、「もむ」、「おす」等に順次反転表示が移行し、ある表示されている治療波形名が反転表示されて所定時間経過すると決定とみなすことで可能となる。治療波形を選択すると、「組パッドを貼着し、開始ボタンを押下して下さい。」との文字表示情報をマイコン６１ａがＲＯＭ６１ｂから読出し、液晶ディスプレイ１１に表示する。施療者は、施療部位に組パッド８のパッド８１を貼着し、「開始／停止」ボタン２ｉを押下する。マイコン６１ａは、「開始／停止」ボタン２ｉが押下されると、組パッド８がジャック９に差し込まれていることを確認し、さらに、人体検出をし組パッド８が被施療者に貼着されていることを確認し、組パッド８がジャック９に指し込まれ、且つ、被施療者に組パッド８が貼着されている場合にのみ、マイコン６１ａが被施療者が選択した治療波形に対応するマッサージ情報をＲＯＭ６１ｂから読出し、治療用信号生成部６１ｃに出力する。治療用信号生成部６１ｃは、入力されるマッサージ情報に基づいて治療用信号を組パッド８に出力する。なお、組パッド８がジャック９に差し込まれていない場合、又は、組パッド８が人体に貼着されていない場合には、その旨マイコン６１ａがＲＯＭ６１ｂから文字表示情報を読出し液晶ディスプレイ１１に表示することで施療者に伝える。
【００２７】
例えば、「自動コース又は手動を、自動コースボタン又は「機能」ボタンを押下して選択して下さい。」との液晶ディスプレイ１１の表示を見て、施療者が「機能」ボタン２ｈを押下すると、「下記『たたく』、『もむ』、『おす』、『バイブ』、『さざなみ』、『うねり』及び『スクランブル』の中から治療波形を選択して下さい。」と表示され、選択可能なな文字情報のうち「たたく」を「機能」ボタン２ｈを用いて選択する。この液晶ディスプレイ１１での表示において、「組パッドを貼着し、開始ボタンを押下して下さい。」と表示されている。この表示に対応して、施療者が施療部位に組パッド８のパッド８１を貼着し、「開始／停止」ボタン２ｉを押下する。これにより、低周波治療が始まる。
【００２８】
低周波治療中は、液晶ディスプレイ１１に、それぞれ所定の表示エリアを占有して表示項目が表示される。低周波治療に関する表示項目としては、波形の種類、極性の種類、強さの度合い、速さの度合い、連続か断続か、治療の残り時間及び模式的な波形図等がある。波形の種類は、例えば、「たたく」、「もむ」、「おす」、「バイブ」、「さざなみ」、「うねり」及び「スクランブル」等がある。極性の種類は、例えば、「標準（＋）」、「反転（−）」、「交互」及び「同時」等がある。「標準（＋）」が組パッド８の場合一方のパッド８１が＋極で、他方のパッド８１が−極となり、この通りに低周波を生じさせて−極付近に刺激が集中する極性である。「反転（−）」が、前記「標準（＋）」とは逆に、「標準（＋）」の場合に＋極であったパッド８１が−極となり−極であったパッド８１が＋極となる極性である。「交互」が、一方のパッド８１と他方のパッド８１とを交互に刺激する極性である。「同時」が、一方のパッド８１と他方のパッド８１とを同時に刺激する極性である。模式的な波形図とは、施療者及び被施療者の利用者が液晶ディスプレイを見るだけで、波形の種類、強さの度合い、速さの度合い等を理解することができる画像、動画等のことを示す。温熱治療に関する表示項目としては、温熱の強さ、残り時間、模式的な状態図がある。模式的な状態図とは、施療者及び被施療者の利用者が液晶ディスプレイを見るだけで、温熱の強さ等を理解することができる画像、動画等のことを示す。低周波治療中は、組パッド８のパッド８３が施療部位から剥がれたり、組パッド８のパッドプラグ８３がジャック９から外れたりすると、液晶ディスプレイ１１上にその旨を伝え、治療用信号の出力を停止させる。
【００２９】
以上のようにして被施療者が治療を受けた後に、低周波治療器が電気の供給を受け、ＡＣアダプター４は交流から直流の変換により温度が上昇しており、小休止の後に再び治療をしなければならないときに早急に、ＡＣアダプター４の温度を低下させる必要がある。そのため、被施療者は、ＡＣアダプター収納部５からＡＣアダプター４を取り出し、外に放置することでＡＣアダプター収納部５に載置して場合により著しい放熱効果が生じる。特に、ＡＣアダプター４の前面が空気が接するにようにすると最高の放熱効果を得ることができる。また、単に外に放置するだけでなく、図６に示すように、外にＡＣアダプター４を取り出して放熱しながら動作させることを可能である。
【００３０】
次に、ＡＣアダプター４の温度は最適温度の範囲にまで低下したので、使用可能となり、施療者は次の被施療者の場所まで、本低周波治療器を持ち運ぼうとしたとする。そのとき、施療者は、ＡＣアダプター４をＡＣアダプター収納部５に収納し、蓋５３を閉めて本低周波治療器を持ち運んだ。収納した状態で持ち運ぶことで、ＡＣアダプター４を手に持つことなく本低周波治療器をしっかり片手で掴んで運ぶことができ、運びやすく、また、本低周波治療器を落下させて壊す危険性も低くなる。さらには、ＡＣアダプター４の両端からケーブルが突出した状態となってなく美観上も好ましい。
【００３１】
このように本実施形態に係る低周波治療器においては、ＡＣアダプター４を収納可能なＡＣアダプター収納部５とを備え、ＡＣアダプター４をＡＣアダプター収納時５に外観上本体と一体としているので、ＡＣアダプター４の温度が上昇して放熱する必要性がある場合には、ＡＣアダプター収納部５からＡＣアダプター４を外してＡＣアダプター４の温度を一気に低下させることができ、本低周波治療器を持ち運ぶ場合若しくは暫くの間使用しない場合には、ＡＣアダプター４が持ち運びな邪魔にならず本低周波治療器をしっかり保持して運ぶことができると共に、暫くの間使用しない場合にはＡＣアダプター４が突出して美観上好ましいだけでなく、コンパクトに収納でき、且つ、ホコリがたまった場合にも容易に掃除することができる。また、本実施形態に係る低周波治療器においては、パッドを収納する収納部３が引き出し可能となり、収納部３とＡＣアダプター収納部５とを別体に形成しているので、収納部３の下壁とＡＣアダプター収納部５の上壁とが別々に形成されることになり、収納部３の形成する空間とＡＣアダプター収納部５の形成する空間とが収納部３の下壁とＡＣアダプター収納部５の上壁との２重の壁を隔てて形成され、ＡＣアダプター収納部５にＡＣアダプター４を収納した状態で動作させ熱が生じたとしても、当該２重の壁により収納部３の形成する空間に熱が伝導し難く、収納部３に収納されたパッド８１が熱の影響を受けず状態変化を生じず、適切に収納してパッド８１を長い期間良好な状態で使用することができる。この本実施形態における説明においては、低周波治療器を一例に電気器具の説明をしたが、低周波治療器に限られることなく、ＡＣアダプター４を有する電気器具であれば、ＡＣアダプター収納部５を設け、本体と一体成形することで、同様な効果を得ることができる。ここで、本体とは、電気器具の中心となる構成物であり、本実施形態に係る低周波治療器においては、低周波治療器の外装及びその外装内の構成物を示し、本実施形態に係る低周波治療器に限れば外装とＡＣアダプター収納部５とが一体成形されている。
【００３２】
なお、本実施形態に係る低周波治療器において、温度検出センサーをＡＣアダプター４若しくはＡＣアダプター収納部５に配設することもでき、この配設した温度検出センサーにより温度を常時、所定間隔若しくはあるタイミングで検出し、かかる温度が所定以上であった場合に、液晶ディスプレイ１１にＡＣアダプター４が所定以上になっており、放熱する必要がある旨を表示し、必要であれば、低周波治療若しくは温熱治療を停止することもでき、本低周波治療器を安全且つ長期間故障させることなく使用することができる。
【００３３】
（本発明の第２の実施形態）
本発明の第２の実施形態に係る電気器具としての低周波治療器について図１ないし図６に基づいて説明する。
本実施形態に係る低周波治療器においては、開閉可能で液晶ディスプレイ１１を配設された蓋部１と、スイッチを複数配設されたスイッチ部２と、ある程度の収納力を有する収納部３と、交流を直流に変換するＡＣアダプター４と、ＡＣアダプター４を収納可能なＡＣアダプター収納部５と、回路基盤６１を有する制御部６と、前記ＡＣアダプター４と接続し電源ジャックからの電力を供給する電源ケーブル７とを備え、ＡＣアダプター収納部５と収納部３及び制御部６とが隣接することなく配置される構成である。
【００３４】
前記ＡＣアダプター収納部５は、複数種類のＡＣアダプター４を収納でき、図３においては、ＡＣアダプター収納部５の３分の２程度の大きさのＡＣアダプター４を用い、側面に沿って収納可能なように形成されている。これは、側面からＡＣアダプタジャック４１が近くにあれば、電源ケーブルのＡＣアダプタープラグ７３を容易に差し込むことが可能であるからである。また、ＡＣアダプター４の収納時に低周波治療器の端にＡＣアダプター４を配設することができれば、収納部３及び制御部６に熱の影響を極力抑えることができ、ＡＣアダプター４の大きさにより、これら収納部３及び制御部６と近く配設する状態となっても、ＡＣアダプター４と収納部３及び制御部６との間に空隙を作っておくことで、空隙を作らない場合とくらべ、放熱作用の効果の差が生じる。なお、図においては、収納時にＡＣアダプター４が側面側に偏る形成としているが、背面側に沿った形成とすることもでき、より制御部６との距離を取ることにより制御部６に与える熱に関する影響を極力抑えることができる。第１の実施形態に記載したようにＡＣアダプター収納部５の蓋５３には、仕切り５４がいくつか用意され、収納時にＡＣアダプター４を固定しているが、仕切り５４が蓋５３から収納部３の上面にぎりぎり接するまでの距離を有することなくコード幅分短く形成されることでコードを損傷させることなく、容易に蓋５３も閉めることもできる。
本実施形態に係る低周波治療器の使用動作は、前記第１の実施形態に係る低周波治療器の使用動作と同じである。
【００３５】
このように本実施形態に係る低周波治療器によれば、ＡＣアダプター収納部５と収納部３及び制御部６とが隣接することなく配置されているので、ＡＣアダプター４をＡＣアダプター収納部５に収納し、ＡＣアダプター４を動作させて交流を直流に変換させてもＡＣアダプター４の動作による発熱が収納部３及び制御部６に及ぶことなく、制御部６に熱が及ばないことにより制御部６が各種制御を行え被施療者に対し適切な治療を行うことができ、また、収納部に熱が及ばないことにより収納部３に収納しているものが熱により状態変化することなく、例えば、組パッド８を格納していれば、組パッド８が基材シートの下面に導電層を介して導電性高分子ゲルからなる導電性粘着層を形成したものであり熱が組パッド８に及ぶと導電性粘着層の粘着力が上がり必要以上に被施療者の皮膚に粘着し、剥がれにくいだけでなく皮膚を傷つける可能性があり、熱が収納部３に及ばないことにより収納されている組パッド８の状態変化もなく継続して安定的に使用することができ、他のものを収納部３に収納していても収納しているものに対し熱が及ばないことも状態変化の可能性が低くなり好ましい。
【００３６】
なお、本実施形態に係る低周波治療器は、ＡＣアダプター収納部５の蓋５３をメッシュ構造とすることもでき、ＡＣアダプター４をＡＣアダプター収納部５から取り外して外気と触れさせる場合と比べると放熱の作用は劣るもの、メッシュ構造としないものと比べると放熱作用があり、一定の連続使用にも耐えることができる。メッシュ構造だけでなく、多くの孔をＡＣアダプター収納部５の蓋５３に開けることによっても、メッシュ構造と同様の放熱作用を得ることができる。ＡＣアダプター４の一側面に仕切りを設けて収納時にＡＣアダプター収納部５の上面とかかる仕切りとが当接状態とすることもでき、ＡＣアダプター４と制御部６及び収納部３との間に空隙を設けることとなり、放熱作用がある。
【００３７】
（本発明の第３の実施形態）
本発明の第３の実施形態に係る電気器具としての低周波治療器について図１ないし図６に基づいて説明する。
本実施形態に係る低周波治療器においては、開閉可能で液晶ディスプレイ１１を配設された蓋部１と、スイッチを複数配設されたスイッチ部２と、ある程度の収納力を有する収納部３と、交流を直流に変換するＡＣアダプター４と、このＡＣアダプター４を収納可能なＡＣアダプター収納部５と、回路基盤６１からなる制御部６と、前記ＡＣアダプター４と接続し電源プラグ７１からの電力を供給する電源ケーブル７とを備え、組パッド８のジャック９位置が前面であって蓋部１の横幅内である構成である。ジャック９位置が前面であって蓋部１の横幅内であるとは、蓋部１の横位置の間にジャック９が位置していることを意味し、言い換えると、蓋部１の横幅内でない前面の両端にはジャック９は位置しないということである。
【００３８】
組パッド８のジャック９位置は、ＡＣアダプター収納部５、収納部３及び制御部６に位置により制限され、図のように、左側面に収納部３が位置し、ＡＣアダプター収納部５が背面側に位置し、さらに、このジャック９の位置は治療用信号の通り道であり制御部６上の治療用信号生成部６１ｃの近くにあれば回路上小型にでき、この制御部６が前面側にあり、前面側であることが好ましい。また、施療者の使用者の利便性を考えると、操作性からスイッチ部２が前面側にあることが好ましくこれより制御部６も同様に前面側にあることがよく、また、ジャック９にパッドプラグ８３を差し込んだり引き抜いたりすることからジャック９の位置そのものもやはり前面にある方がよい。
【００３９】
また、蓋部１より本体の方が重量が重いものの、蓋部１を施療者が開ける場合に片方の手を本体に添えていたほうが、本体が蓋部１の開く方向につられて本体設置面から浮いたりせず容易に蓋部１を開けることができ、この手を添える位置がききうでによるが、通常、前面左隅か前面右隅周辺、すなわち、前面の両端周辺に片方の手を添えて、もう片方の手で蓋部１の中央を持ち上げる形で蓋部１を開くものである。
【００４０】
以上により、組パッド８のジャック９の位置としては、前面側の両端を除いた部分が好ましい。さらに、ＡＣアダプター収納時にＡＣアダプタージャック４１の位置が右側面となり、仮に、右側面に組パッド８のジャック９を設けた場合には、電源ケーブル７のケーブル７２と組パッド８の治療用信号コード８２が使用時に絡まって手際よく本低周波治療器を用いることができない。
本実施形態に係る低周波治療器の使用動作は、前記第１の実施形態に係る低周波治療器の使用動作と同じである。
【００４１】
このように本実施形態によれば、組パッド８のジャック９位置が前面であって蓋部１の横幅内であるので、通常、スイッチ用基盤等の制御部６が前面側に配置されて前面若しくは両側面にジャック９があるのが普通であり、特に、本低周波治療器においては、収納部３を側面に配設しており収納部３側の側面にＡＣアダプタージャック４１を設けることは困難であり、一方で、収納部３と逆の側面には、ＡＣアダプター収納部５を設けており、前記第２の実施形態で説明した通り、放熱作用を発揮するために収納部３及び制御部６から離間させており、前面側にジャック９を設けることが好ましく、さらに、前面側であれば両端でも、ＡＣアダプター収納部５と離間させた状態で設けることはできるものの、両端でなく中央付近に設けることで施療者が蓋部１を開ける場合に手を前面側の両端に添えた方が力が逃げずに容易に明けることができる。仮に、ジャック９の位置が前面の両端にあった場合には、組パッド８のパッドプラグ８３を差し込んだ状態であれば、蓋部１を開ける場合に、組パッド８が邪魔となり、円滑に蓋部１を開けることができないばかりか、蓋部１を閉める場合に組パッド８の治療用信号コード８３を挟んでしまい損傷させる可能性もある。
【００４２】
【発明の効果】
以上のように本発明において、ＡＣアダプターを収納可能なＡＣアダプター収納部とを備え、本体とＡＣアダプター収納部を一体成形しているので、ＡＣアダプターの温度が上昇して放熱する必要性がある場合には、ＡＣアダプター収納部からＡＣアダプターを外してＡＣアダプターの温度を一気に低下させることができ、本電気器具を持ち運ぶ場合若しくは暫くの間使用しない場合には、ＡＣアダプターが持ち運びな邪魔にならず本電気器具をしっかり保持して運ぶことができるという効果を奏する。ここで、ＡＣアダプターを収納するＡＣアダプター収納部を本体と一体成形で設けており、ＡＣアダプターを収納した場合に、本体の外形が変わることなく本体がＡＣアダプターを備えることができる。
【００４３】
また、本発明においては、パッドを収納するパッド収納部とＡＣアダプターを収納可能なＡＣアダプター収納部とを備え、パッド収納部とＡＣアダプター収納部とを別体に形成しているので、パッド収納部の上下方向を含めた周囲の壁とＡＣアダプター収納部の上下方向を含めた周囲の壁とが別々に形成されることになり、パッド収納部とＡＣアダプター収納部とが隣接して形成されるときには、パッド収納部の形成する空間とＡＣアダプター収納部の形成する空間とがパッド収納部の壁とＡＣアダプター収納部の壁との２重の壁を隔てて形成され、ＡＣアダプター収納部にＡＣアダプターを収納した状態で動作させ熱が生じたとしても、当該２重の壁によりパッド収納部の形成する空間に熱が伝導し難く、パッド収納部に収納されたパッドが熱の影響を受けず状態変化を生じず、適切に収納してパッドを長い期間良好な状態で使用することができる。なお、パッドを施療に使用していても、交換用のパッドをパッド収納部に収納することもあり、動作中においてもパッド収納部にパッドが収納されることがある。
【００４４】
また、本発明においては、ＡＣアダプター収納部と収納部及び制御部とが隣接することなく配置されているので、ＡＣアダプターをＡＣアダプター収納部に収納し、ＡＣアダプターを動作させて交流を直流に変換させてもＡＣアダプターの動作による発熱が収納部及び制御部に及ぶことなく、制御部に熱が及ばないことにより制御部が各種制御を行え被施療者に対し適切な治療を行うことができ、また、収納部に熱が及ばないことにより収納部に収納しているものが熱により状態変化することなく、例えば、組パッドを格納していれば、組パッドが基材シートの下面に導電層を介して導電性高分子ゲルからなる導電性粘着層を形成したものであり熱が組パッドに及ぶと導電性粘着層の粘着力が上がり必要以上に被施療者の皮膚に粘着し、剥がれにくいだけでなく皮膚を傷つける可能性があり、熱が収納部に及ばないことにより収納されている組パッドの状態変化もなく継続して安定的に使用することができ、他のものを収納部に収納していても収納しているものに対し熱が及ばないことも状態変化の可能性が低くなり好ましいという効果を有する。
【００４５】
また、本発明においては、組パッドのジャック位置が前面であって蓋部の横幅内であるので、通常、スイッチ用基盤等の制御部が前面側に配置されて前面若しくは両側面にジャックがあるのが普通であり、前面側にジャックを設けることが好ましく、さらに、前面側であれば両端でも、ＡＣアダプター収納部と離間させた状態で設けることはできるものの、施療者が蓋部を開ける場合に手を前面側の両端に添えた方が力が逃げずに容易に明けることができるという効果を有する。
【図面の簡単な説明】
【図１】本発明の蓋部が閉じたときの本低周波治療器の斜視図である。
【図２】本発明の蓋部が開いたときの本低周波治療器の斜視図である。
【図３】本発明の実施形態に係る低周波治療器の背面斜視図である。
【図４】本発明の実施形態に係る低周波治療器のスイッチ部の正面図である。
【図５】本発明の実施形態に係る低周波治療器の制御部のブロック構成図である。
【図６】本発明の蓋部が開きＡＣアダプターが外に取り出されているときの本低周波治療器の斜視図である。
【符号の説明】
１  蓋部
１１  液晶ディスプレイ
２  スイッチ部
２ａ  「電源入／切」ボタン
２ｂ  「肩」ボタン
２ｃ  「背」ボタン
２ｄ  「腰」ボタン
２ｅ  「腕・脚」ボタン
２ｆ  「関節」ボタン
２ｇ  「マイメモリー」ボタン
２ｈ  「機能」ボタン
２ｉ  「開始／停止」ボタン
２ｊ  「一時停止」ボタン
２ｋ  「ロック」ボタン
２ｌ  「１５分／３０分」ボタン
２ｍ、２ｍＡ、２ｍＢ  「強さ」ダイヤル
２ｎ  「極性切替」ボタン
２ｏ  「連続／断続」ボタン
２ｐ  「メモリー」ボタン
２ｑ  「速さ」ボタン
２ｒ  「温熱治療」ボタン
２Ｒ  「温熱治療」ＬＥＤランプ
２ｓ  「ヒータ」ボタン
２Ｓ  ヒータＬＥＤランプ
２ｔ  「予熱」ボタン
２Ｔ  「予熱」ＬＥＤランプ
２ｕ  「入／切」ボタン
２ｖ  「強／弱」ボタン
２ｗ  「１５分／３０分」ボタン
３  収納部
３１  マグネット
４  ＡＣアダプター
４１  ＡＣアダプタージャック
４２  直流ジャック
４３  供給口ジャック
４４  直流ケーブル
５  ＡＣアダプター収納部
５１  ツマミ
５２  スライダー
５３  蓋
５４  仕切り
５５  ツマミ穴
６  制御部
６１  回路基盤
６１ａ  マイコン
６１ｂ  ＲＯＭ
６１ｃ  治療用信号生成部
６１ｄ  電気回路
６２  スイッチ用基盤
７  電源ケーブル
７１  電源プラグ
７２  ケーブル
７３  ＡＣアダプタープラグ
８  組パッド
８１  パッド
８２  治療用信号コード
８３  パッドプラグ
８４  替パッド
８５  コードリール
８５ａ  貼着部
８５ｂ  リール部
９  ジャック
１０  接続ＬＥＤランプ
１１  温熱治療ＬＥＤランプ
【図１】
2005051875.tif 000003
【図２】
2005051875.tif 000004
【図３】
2005051875.tif 000005
【図４】
2005051875.tif 000006
【図５】
2005051875.tif 000007
【図６】
2005051875.tif 000008